(57)【特許請求の範囲】
【請求項１】
ベビーベッド柵内に載置可能な寸法を有する芯材を充填した厚みを有する敷布団本体、敷布団本体と同一の厚みを有し、敷布団本体上端辺と同一寸法の長辺とベッドガード高さに相当する長さの短辺を有する直方体よりなる頭部中央部材、敷布団本体と同一の厚みを有し、ベッドガード高さに相当する長さに頭部中央部材の厚み分を加えた長さの長辺と、ベッドガード高さの半分の長さの短辺を有し頭部中央部材の両サイドに配置される２個の直方体よりなる頭部サイド部材、及び敷布団本体の半分の厚みを有し、敷布団本体長辺より敷布団の厚み分だけ短い長さの長辺とベッドガード高さの半分の長さの短辺を有する直方体が長さ及び巾方向にそれぞれ２個結合され、敷布団本体の両側にそれぞれ配置されるボディ部サイド部材とより構成される乳幼児用敷布団。
【請求項２】
頭部中央部材と、頭部中央部材の両サイドに配置される頭部サイド部材とのそれぞれ対向する辺に、結合分離可能なオープンファスナーが設けられている請求項１に記載の乳幼児用敷布団。
【請求項３】
ボディ部サイド部材は、該２個の直方体がそれぞれ更に２つのブロックに分割され、４個の直方体ブロックが上面または下面の何れか一面で結合されている請求項１に記載の乳幼児用敷布団。
【請求項４】
頭部中央部材の敷布団本体側に、結合分離可能なオープンファスナーの一方が縫着されている頭部中央部材連結用布帛を縫着し、敷布団両側に配置されるボディサイド部材間にもサイド部材連結用布帛を縫着すると共に、前記頭部中央部材に縫着された布帛のオープンファスナーに対向するサイド部材連結用布帛の上端にオープンファスナーの他方を設けてなる請求項２又は３に記載の乳幼児用敷布団。
【請求項５】
敷布団本体、頭部サイド部材、及びサイド部材の芯材がポリエステル硬綿、ウレタンフォーム、羊毛の何れかであり、頭部中央部材を構成する直方体には通気性の大きい充填物を充填してなる請求項１に記載の乳幼児用敷布団。
【発明の詳細な説明】
【０００１】
【発明の属する技術分野】
本発明は、ベビーベッドに使用する際にはベビーベッドに設けられた柵用のベッドガードとして利用可能な部分を有する敷布団であって、その後、幼児の成長にしたがってより大形の一枚の敷布団に組み替え使用が可能なベッドガードとして利用可能な部分を有する乳幼児用敷布団に関するものである。
【０００２】
【従来の技術】
乳幼児は誕生後、周囲からの干渉や不測の事故から守るため、柵を有するベビーベッドに寝かせられることが多い。しかしながら、新生児は、誕生後まもなく腕や足を動かして身体をずり動かすようになり、ベビーベッドの柵に接触して身体を傷つけることがある。そこで、ベビーベッドを使用する際に、保護部材としてタオルケット、バスタオル、毛布等を折り畳んで柵の内面に置いたりもするが、そのようなものを使用すると乳児を窒息させる恐れがあり、好ましくない。
【０００３】
【発明が解決しようとする課題】
そこで、ベビーベッド用のサークルガードが従来提案されてきているが、新生児から幼児期は発育が早いため、新生児用寝具及びベビーベッドの実質的な使用期間は、極めて短いのが現状である。本発明は、上記のような危険から新生児を守るためのベビーベッド用サークルガードとして使用すると共に、ベビーベッド使用終了後には、ベビーベッド用サークルガードを構成するセット品のパーツの使用状態を変更することで、より大形の幼児用の寝具として使用することができる、従来品より長期間の使用が可能な乳幼児用の敷寝具を提供することを目的とする。
【０００４】
【課題を解決するための手段】
本発明のベッドガードとして利用可能な部分を有する乳幼児用敷布団は、ベビーベッド柵内に載置可能な寸法を有する芯材を充填した厚みを有する敷布団本体、敷布団本体と同一の厚みを有し、敷布団本体上端辺と同一寸法の長辺とベッドガード高さに相当する長さの短辺を有する直方体よりなる頭部中央部材、敷布団本体と同一の厚みを有し、ベッドガード高さに相当する長さに頭部中央部材の厚み分を加えた長さの長辺と、ベッドガード高さの半分の長さの短辺を有し頭部中央部材の両サイドに配置される２個の直方体よりなる頭部サイド部材、及び敷布団本体の半分の厚みを有し、敷布団本体長辺より敷布団の厚み分だけ短い長さの長辺とベッドガード高さの半分の長さの短辺を有する直方体が長さ及び巾方向に２個結合され、敷布団本体の両側にそれぞれ配置されるボディ部サイド部材とより構成される。
【０００５】
頭部中央部材と、頭部中央部材の両サイドに配置される頭部サイド部材とのそれぞれ対向する辺に、結合分離可能なオープンファスナーを設けると敷布団形成が容易である。また、ボディ部サイド部材の該２個の直方体は、それぞれ更に２つのブロックに分割し、４個の直方体ブロックを上面または下面の何れか一面で結合することができる。
【０００６】
更に、頭部中央部材の敷布団本体側に、結合分離可能なオープンファスナーの一方が縫着されている頭部中央部材連結用布帛を縫着し、敷布団両側に配置されるボディ部サイド部材間にもサイド部材連結用布帛を縫着すると共に、前記頭部中央部材に縫着された布帛のオープンファスナーに対向するサイド部材連結用布帛の上端ににオープンファスナーの他方を設けて各部材を結合すると、敷布団形成がより容易となる。また、敷布団本体、頭部サイド部材、及びサイド部材の芯材がポリエステル硬綿、ウレタンフォーム、羊毛の何れかであり、頭部中央部材を構成する直方体には通気性の大きい充填物を充填すれば、頭部の発汗に対応できる。
【０００７】
【発明の実施の形態】
本発明の実施の形態の一例を図面を参照しながら詳細に説明する。図１は本発明の、ベッドガードとして利用可能な部分を有する敷布団１００の構成部材を展開して配置した説明図であり、図２は、ベッドガード付き敷布団としてベビーベッドに使用する際の使用態様を示す斜視図、図３は、大形の敷布団としての使用態様を示す平面図、図４は、左右のボディ部サイド部材をその連結用布帛と共に二つ折にし、かつ、それ等を重ねた状態を示す正面図である。
【０００８】
本発明乳幼児用敷布団１００は、敷布団本体Ａ、頭部中央部材Ｂ、頭部サイド部材Ｃ、サイド部材連結用布帛で連結された左右一対のボディ部サイド部材Ｄよりなり、上記全部材を結合等して大形の敷布団とし、或は、新生児用としてベビーベッドと共に使用するときは頭部両サイド部材Ｃを使用せず、頭部中央部材Ｂ及びボディ部サイド部材Ｄを立ち上げて敷布団本体Ａの上に置き、頭部中央部材Ｂ、ボディ部サイド部材Ｄをベビーベッド用サークルガードとして使用する。ベビーベッドの使用終了後には、頭部中央部材Ｂ、ボディ部サイド部材Ｄの各部材の使用方法を変えると共に頭部サイド部材Ｃを加え、敷布団本体Ａと共に使用することで、約９０×１４０cm  の幼児用大判敷布団とすることができる。尚、一般的な新生児用敷布団は、７０×１２０cm  の寸法のものが多い。以下に、各部材ごとにそれら部材の構成を説明する。
【０００９】
敷布団本体Ａは、ポリエステル又は羊毛の硬綿、ポリウレタンフォーム等の芯材を側地でくるんだものであって、収納を容易とするため、側地が上下何れかの面で結合された２つの部分に分割することが好ましい。敷布団本体Ａの厚さＷは適宜選択されるが、１例として５cmとした。敷布団本体Ａの頭部側位置に配置される頭部中央部材Ｂと頭部サイド部材Ｃは、敷布団本体Ａと同一の厚みを有し、敷布団本体Ａと同様の充填物を含有する。頭部中央部材Ｂは、敷布団本体Ａの頭部側端辺と同一寸法の長辺と、サークルガードとしての高さＬの短辺と敷布団本体Ａと同等の厚さＷとを有する直方体よりなり、芯地を側地でくるんである。図１の頭部中央部材Ｂの両側に位置する頭部サイド部材Ｃは、好ましくは向かい合う頭部中央部材Ｂの短辺の長さより厚さＷだけ長い長辺と、サークルガード高さの半分の長さＬ／２の短辺を有する直方体よりなる。中央部材Ｂの短辺と頭部サイド部材Ｃの対向する長辺との間にはオープンファスナー５，５'、６，６’をそれぞれ縫着して、中央部材Ｂと頭部サイド部材Ｃとを結合分離可能としている。
【００１０】
ボディ部サイド部材Ｄは、敷布団本体Ａの両サイドにそれぞれ配置されるようサイド部材連結用布帛１３の両側に設けられており、サークルガード高さの半分の長さの短辺と、敷布団本体長辺より厚み分だけ短い長さの長辺を有し、長さ方向において上下いずれかの面で結合された２個の直方体７，８及び９，１０よりなる。これらの直方体７，８，９，１０の厚みは、敷布団本体Ａの厚みＷの半分、即ちＷ／２の厚みを有し、これらは、敷布団本体Ａと同様の充填物を側地でくるんでいる。更に、直方体７，８，９，１０は、上面又は下面で連結された複数個のブロック、好ましくは７−１，７−２，８−１，８−２，９−１，９−２，１０−１，１０−２のように側地の一辺で連続した小区画に分割すると収納がコンパクトにでき、好都合である。
【００１１】
頭部中央部材Ｂには、図１に示すように長辺の一辺に頭部中央部材連結用布帛１１を縫着し、布帛１１の端部には、オープンファスナーの片側部分１２を設け、ボディ部サイド部材Ｄを構成する左右の直方体８，９を連結する。ボディ部サイド部材連結用布帛１３の上端に設けられたオープンファスナーの他側部分１２’と噛み合い、頭部中央部材Ｂとサイド部材Ｄを一体に結合することを可能としている。前記ボディ部サイド部材連結用布帛１３上には、敷布団本体Ａが載置される。
【００１２】
上記敷布団本体Ａ、頭部中央部材Ｂ、頭部サイド部材Ｃ、ボディ部サイド部材Ｄよりなる本発明乳幼児用敷布団を使用するときは次の如くする。
本発明の乳幼児用敷布団をサークルガード付き乳児用敷布団として使用する場合の状態を図２によって説明する。図１に示す頭部中央部材Ｂの頭部中央部材連結用布帛１１に設けられたオープンファスナー１２を、ボディ部サイド部材連結用布帛１３の上端に設けられたオープンファスナー１２’と噛み合わせ、サイド部材連結用布帛１３の中央に敷布団本体Ａを載置する。頭部中央部材Ｂとボディ部サイド部材Ｄの直方体７，８，９，１０を敷布団本体Ａの三方周縁に９０°立てることによってベッドガードとして敷布団本体Ａの上に載せ、図２のような状態でベビーベッド内に設置し使用する。この使用状態においては、頭部サイド部材Ｃは使用しない。
【００１３】
次に、本発明の乳幼児用敷布団を、乳児の成長に伴い通常のより大きな敷布団として使用する際の使用態様について説明する。図３に示すように、平面状の敷布団として使用するには、先ず、頭部中央部材Ｂと頭部サイド部材Ｃ，Ｃとを、両者の対向部分に設けられたオープンファスナー５，５’と６，６’とをそれぞれ結合することにより一体化する。頭部中央部材連結用布帛１１に設けられたオープンファスナー１２を、ボディ部サイド部材連結用布帛１３の上端に設けられたオープンファスナー１２’と結合し、ボディ部サイド部材Ｄ，Ｄ間のサイド部材連結用布帛１３上に敷布団本体Ａを頭部中央部材Ｂの下端と接するように置く。更に敷布団本体Ａの両脇にボディ部サイド部材Ｄの直方体７，８，９，１０を、直方体７と８、直方体９と１０のように重ね合せて敷布団１の半分の厚さである直方体７，８，９，１０が、敷布団本体Ａと同一平面（同一厚さ）になるようにする。これにより各部材を全体で一枚のマット状敷布団とすることができ、必要に応じて全体を袋状のカバーに収容することによって各部間にずれ等が生ずることがなく、平板状の敷布団とすることが出来る。このようにすれば、ベビーベッド内でサークルガード付きで使用していた新生児用の７０×１２０cm の寸法の敷布団は、略９０×１４０cm の大判で通常の敷布団形状とほぼ同じ形状の敷布団として使用することができる。
【００１４】
各部材の寸法を参考までに記載したが、本発明はこの寸法に限定されるものではない。また、頭部中央部材Ｂには、敷布団本体Ａ、頭部サイド部材Ｂ、及びボディ部サイド部材Ｄの芯材がポリエステル硬綿、ウレタンフォーム、羊毛の何れかとするのに対して、通気性のより大きい充填物を用いれば、頭部に汗をかき易い幼児にとって快適な敷布団が得られる。
【００１５】
更に、本発明の乳幼児用敷布団は、収納時に極めてコンパクトにすることができる。即ち、敷布団本体Ａは、二つ折りにすることもでき、更にボディ部サイド部材Ｄは、図４で示すように、まず、図１の連結縁で二つ折りにして直方体７−１と７−２、直方体８−１と８−２を重ね、同様に直方体９−１と９−２、直方体１０−１と１０−２とを重ね、更にこれらの直方体を４段に重ねることによって場所を取らずに収納できる。
【００１６】
【発明の効果】
以上説明したように、本発明では、以下のような効果が得られる。
本発明による乳幼児用敷布団は、新生児用寝具としては、ベビーベッド用のサークルガード付き寝具として使用して新生児を危険から守ることができ、新生児の成長に伴ってベビーベッドを使用しなくなったときには、ベビーベッド用サークルガードを構成するセット品のパーツの組み立て状態を変更することで、より大判の幼児用の敷布団として使用することができ、長期間の使用が可能な敷寝具である。また、敷寝具として使用する際の敷布団頭部に、通気性の良い充填物を使用して快適な睡眠が得られるように構成することができる。本発明の敷布団を構成する部材のうち大きいものは、折り畳み可能に形成されているので、収納に便利である。
【００１７】
【図面の簡単な説明】
【図１】本発明の乳幼児用敷布団の各部材を示し、ａはボディ部サイド部材を連結用布帛で連結し、連結用布帛の上に敷布団本体を載置した状態の平面図、ｂはその正面図、ｃは頭部中央部材の平面図、ｄはその背面図、ｅはその側面図、ｆは左頭部サイド部材の平面図、ｇはその背面図、ｈは右頭部サイド部材の平面図、ｉはその背面図である。
【図２】本発明の乳幼児用敷布団をベッドガード付敷布団としてベビーベッド内で使用するときの態様を示す斜視図である。
【図３】本発明の乳幼児用敷布団を、大判敷布団として使用するときの態様を示す平面図である。
【図４】サイド部材連結用布帛と共に両ボディ部サイド部を上下二つ折りにし、重ねた状態を示す正面図である。
【符号の説明】
Ａ  敷布団本体
Ｂ  頭部中央部材
Ｃ  頭部サイド部材
Ｄ  ボディ部サイド部材
Ｗ  敷布団の厚さ
Ｌ  ベッドガード高さ
５、５’、６、６’  オープンファスナー
７、８、９、１０  ボディ部サイド部材の直方体
１１  頭部中央部材連結用布帛
１２，１２’  オープンファスナー
１３  ボディ部サイド部材連結用布帛
【図１】
0003666456.tif 000002
【図２】
0003666456.tif 000003
【図３】
0003666456.tif 000004
【図４】
0003666456.tif 000005